(57)【要約】【課題】ファクシミリ機能部の電源の意図しない遮断を防ぎつつ操作性を高めることができる画像形成装置を提供する。【解決手段】主電源スイッチ部５０は、スイッチ部本体５１とカバー部５２とを少なくとも備えている。スイッチ部本体５１は、回動の中心となる軸部５３、ユーザの押下により軸部５３を中心に回動することで電源を投入させる投入部５４、およびユーザの押下により軸部５３を中心に投入部５４と逆方向に回動することで電源を遮断させる遮断部５５を有している。カバー部５２が投入部５４を覆うことにより、スイッチ部本体５１の回動が抑制される。【選択図】図２
2010091783.tif 000002
【特許請求の範囲】
【請求項１】
通信回線を介して受信されたデータに基づき画像を形成するファクシミリ機能部と、
回動の中心となる軸部、前記軸部を中心に回動することにより電源を投入させる投入部、および前記軸部を中心に前記投入部と逆方向に回動することにより電源を遮断させる遮断部を有し、少なくとも前記ファクシミリ機能部の電源を切り替える第一のスイッチ部と、
前記第一のスイッチ部のうち前記遮断部を覆わず前記投入部を覆う第一の位置に配置可能なカバー部と
を備える画像形成装置。
【請求項２】
コンピュータから受信されたデータに基づき画像を形成するプリンタ機能部および原稿から読み取られたデータに基づき画像を形成するコピー機能部のいずれか一方または両方からなる非ファクシミリ機能部と、
前記非ファクシミリ機能部の電源を切り替える第二のスイッチ部と
をさらに備える請求項２に記載の画像形成装置。
【請求項３】
前記カバー部は、前記第二のスイッチ部のうち前記遮断部および前記投入部を覆わない第二の位置に配置可能である請求項１乃至請求項２のいずれかに記載の画像形成装置。
【請求項４】
前記カバー部が前記第二の位置に配置されていることを報知する報知部
をさらに備える請求項３に記載の画像形成装置。
【請求項５】
前記報知部は、前記第一のスイッチ部に設けられる
請求項４に記載の画像形成装置。
【請求項６】
前記報知部は、前記カバー部に設けられる
請求項４に記載の画像形成装置。
【請求項７】
外部からの指示が入力される操作部をさらに備え、
前記報知部は、前記操作部に設けられる
請求項４に記載の画像形成装置。
【発明の詳細な説明】
【技術分野】
【０００１】
本発明は、電話回線等の通信回線を介して受信されたデータに基づき画像を形成するファクシミリ機能部を少なくとも備える画像形成装置に関するものであり、特に電源スイッチに関するものである。
【背景技術】
【０００２】
近年、原稿から読み取られたデータに基づき画像を形成するコピー（複写）機能部だけでなく、ＬＡＮ等を介してコンピュータから受信されたデータに基づき画像を形成するプリンタ機能部や、ファクシミリ機能部を同時に備えたデジタル複合機と呼ばれる画像形成装置が普及している。このような画像形成装置は、コピー機能部やプリンタ機能部を使用する場合は、使用時のみ通電し、使用しない時は通電しないようにされることが一般的である。また、ファクシミリ機能部は、常時受信する必要があるので、常時通電状態にされることが一般的である。
【０００３】
このようなデジタル複合機においては、プリンタ機能部のみからなる画像形成装置すなわちプリンタしか使用したことがないユーザやデジタル複合機の操作に不慣れなユーザの場合、例えば、デジタル複合機が設置されたオフィスから帰宅するときや印刷処理が終了したときに主電源スイッチをオフ（遮断）にしてしまうことがあり、ファクシミリ機能部として夜間の受信等をできなくしてしまう等の不具合が生じていた。
【０００４】
特許文献１によると、コピーやファクシミリとしての複合機能を有する画像形成装置のメインスイッチを、習慣的あるいは無意識的にオフにしないようにする。
【０００５】
特許文献２によると、機器の動作中に不用意に電源を切断されると、重大な障害が発生する場合があり、それを防ぐため、電源スイッチにカバーを掛けたものがある。
【０００６】
特許文献３によると、電源スイッチの周辺部の仕様をユーザのニーズに合わせて容易に対応できる。
【０００７】
特許文献４によると、印刷作業中に主電源スイッチがオフ(主電源がオフ)されても機械に損傷が生じる事態を回避することができる。
【０００８】
特許文献５によると、画像処理装置の操作部近傍に事務用品収容部材を設けて作業性を向上させると共に，スペースの有効利用を図る。
【特許文献１】特開平１１−２２０５５９号公報
【特許文献２】特開２００４−８７１６１号公報
【特許文献３】特開２００８−２１４３６号公報
【特許文献４】特開２００７−２７２１７８号公報
【特許文献５】特開２００５−２４２２００号公報
【発明の開示】
【発明が解決しようとする課題】
【０００９】
従来の画像形成装置においては、ファクシミリ機能部の電源の意図しない遮断を防ぐため電源のスイッチをカバー部により覆う場合に、必ずしも操作性が高いとは言いがたいという問題点があった。
【００１０】
本発明は以上の問題点を解決するためになされたものであり、ファクシミリ機能部の電源の意図しない遮断を防ぎつつ操作性を高めることができる画像形成装置を提供することを目的とする。
【課題を解決するための手段】
【００１１】
本発明に係る画像形成装置は、通信回線を介して受信されたデータに基づき画像を形成するファクシミリ機能部と、回動の中心となる軸部、前記軸部を中心に回動することにより電源を投入させる投入部、および前記軸部を中心に前記投入部と逆方向に回動することにより電源を遮断させる遮断部を有し、少なくとも前記ファクシミリ機能部の電源を切り替える第一のスイッチ部と、前記第一のスイッチ部のうち前記遮断部を覆わず前記投入部を覆う第一の位置に配置可能なカバー部とを備える。
【発明の効果】
【００１２】
本発明に係る画像形成装置は、ファクシミリ機能部の電源を切り替える第一のスイッチ部のうち遮断部を覆わず投入部を覆う第一の位置にカバー部を配置可能である。従って、ファクシミリ機能部の電源の意図しない遮断を防ぎつつ操作性を高めることができる。
【発明を実施するための最良の形態】
【００１３】
以下、図面を参照して、本発明の第１の実施形態について説明する。図１は、本実施形態に係る画像形成装置としてのデジタル複合機１００を示す斜視図である。図１に示されるように、デジタル複合機１００は、デジタル複合機本体１０と、給紙カセット２０と、操作部３０と、表示部４０と、主電源スイッチ部５０と、非ファクシミリ機能スイッチ部６０とを少なくとも備えている。
【００１４】
デジタル複合機本体１０は、電話回線等の通信回線を介して受信されたデータに基づき記録用紙に画像を形成するファクシミリ機能部、原稿から読み取られたデータに基づき記録用紙に画像を形成するコピー（複写）機能部、およびＬＡＮ等を介してコンピュータから受信されたデータに基づき記録用紙に画像を形成するプリンタ機能部を有している。
【００１５】
給紙カセット２０は、デジタル複合機本体１０へ供給すべき記録用紙を収納している。
【００１６】
操作部３０には、ユーザにより外部から指示が入力される。
【００１７】
表示部４０には、ユーザへ伝えるべき情報が表示される。
【００１８】
主電源スイッチ５０部は、デジタル複合機１００全体の電源について、オン（投入）とオフ（遮断）とを切り替える（第一のスイッチ部）。
【００１９】
非ファクシミリ機能スイッチ部６０は、ファクシミリ機能部以外の機能部（非ファクシミリ機能部）すなわちコピー機能部およびプリンタ機能部の電源について、オンとオフとを切り替える（第二のスイッチ部）。
【００２０】
図２は、図１の主電源スイッチ部５０の詳細な構成を示す斜視図である。図２（ａ）〜（ｂ）に示されるように、主電源スイッチ部５０は、スイッチ部本体５１とカバー部５２とを少なくとも備えている。スイッチ部本体５１は、回動の中心となる軸部５３、ユーザの押下により軸部５３を中心に回動することで電源を投入させる投入部５４、およびユーザの押下により軸部５３を中心に投入部５４と逆方向に回動することで電源を遮断させる遮断部５５を有している。図２（ａ）〜（ｂ）においては、いずれも、電源が投入された状態が示されている。
【００２１】
図２（ａ）においては、カバー部５２が、スイッチ部本体５１のうち遮断部５５を覆わず投入部５４を覆う第一の位置に配置された場合が示されている。また、図２（ｂ）においては、カバー部５２が、スイッチ部本体５１のうち遮断部５５および投入部５４を覆わない第二の位置に配置された場合が示されている。
【００２２】
図２（ａ）の第一の位置においては、カバー部５２が投入部５４を覆うことにより、スイッチ部本体５１の回動が抑制される。従って、デジタル複合機１００全体の電源の意図しない遮断すなわちファクシミリ機能部の電源の意図しない遮断を防ぐことができる。これにより、ファクシミリ機能部の電源の意図しない遮断により受信ができなくなることを防ぐことができる。
【００２３】
図２（ｂ）の第二の位置においては、カバー部５２が投入部５４を覆わないので、スイッチ部本体５１の回動が抑制されない。従って、ユーザの意図により、デジタル複合機１００全体の電源を遮断させることができる。
【００２４】
図２に示されるように、カバー部５２は、デジタル複合機本体１０において、筐体に沿って容易にスライドさせることができるように設置されている。これにより、第一の位置と第二の位置とを、ユーザの操作により、容易に変更することが可能となる。
【００２５】
このように、本実施形態に係るデジタル複合機１００は、通信回線を介して受信されたデータに基づき画像を形成するファクシミリ機能部と、回動の中心となる軸部５３、軸部５３を中心に回動することにより電源を投入させる投入部５４、および軸部５３を中心に投入部５４と逆方向に回動することにより電源を遮断させる遮断部５５を有し、少なくともファクシミリ機能部の電源を切り替えるスイッチ部本体５１と、スイッチ部本体５１のうち遮断部５５を覆わず投入部５４を覆う第一の位置に配置可能なカバー部５２とを備えている。従って、ファクシミリ機能部の電源の意図しない遮断を防ぎつつ操作性を高めることができる。
【００２６】
なお、上述においては、デジタル複合機１００が、ファクシミリ機能部、コピー機能部、およびプリンタ機能部を備える場合について説明したが、コピー機能部やプリンタ機能部すなわち非ファクシミリ機能部については、必ずしも備える必要はない。
【００２７】
また、デジタル複合機１００は、カバー部５２が図２（ｂ）の第二の位置に配置されていることを、例えばＬＥＤを発光させることによりユーザへ報知してもよい。この報知部としてのＬＥＤは、スイッチ部本体５１に設けられてもよく、カバー部５２に設けられてもよく、あるいは操作部３０に設けられてもよい。これにより、カバー部５２が第二の位置に配置されていることをユーザが容易に認識することができるので、ファクシミリ機能部の電源の意図しない遮断をさらに防ぐことができる。
【図面の簡単な説明】
【００２８】
【図１】本発明の第１の実施形態に係るデジタル複合機１００を示す斜視図である。
【図２】本発明の第１の実施形態に係るデジタル複合機１００の主電源スイッチ部５０の詳細な構成を示す斜視図である。
【符号の説明】
【００２９】
１０  デジタル複合機本体、２０  給紙カセット、３０  操作部、４０  表示部、５０  主電源スイッチ部、５１  スイッチ部本体、５２  カバー部、５３  軸部、５４  投入部、５５  遮断部、６０  非ファクシミリ機能スイッチ部、１００  デジタル複合機。
【図１】
2010091783.tif 000003
【図２】
2010091783.tif 000004